(57)【要約】インターネット上で階層コンテンツ特有のノード構成を通して広告を行い、ノード毎に独立して広告を配信することに対する価格付けを行うシステム及び方法である。独立して配信し価格付けを行うことにより、広告主は、広告の存在により提供された商品やサービスに関心を持つだろうと思われる視聴者に狭く的を絞って提供された広告に対してより費用を使うことができ、提供された商品やサービスに関心を抱くかどうか分からない一般的な視聴者に向けた広告に対しては少ししか費用を使わないようにできる。ノードに少ししかコンテンツ特有のものがなければないほど、広告の的は絞れなくなり、従って、広告の存在に対する広告効果はより価値のないものとなる。複数のレベルのコンテンツ特有のノードに対してターゲットを絞った広告が可能となる。
2005533327.tif 000002
【特許請求の範囲】
【請求項１】
複数ノードの階層コンテンツベースのシステムを介して公開するために広告主からの広告情報を受け取るインターネット広告システムであって、
該インターネット広告システムは、
インターネットを利用してインターネット広告システムに接続している複数の広告主のユーザーシステムから広告一覧表示情報を受信する受信手段であって、該広告一覧表示情報は、広告の表題とＵＲＬ、広告一覧表示情報に関連する１以上のノードレベルの選択、及び選択された各ノードレベルに対する提示金額を具備する、受信手段と、
前記広告一覧表示を記憶する記憶手段と
複数ノードの階層システム内の特定のノードを要求したエンドユーザーにウェブページコンテンツと広告一覧表示とを公開する公開手段であって、該公開手段は選択されたノードに関連するコンテンツとその特定のノードに関連する広告とを配信する、公開手段と、
を具備するインターネット広告システム。
【請求項２】
提供された前記ＵＲＬは、前記エンドユーザーに配信されたウェブページから選択した広告一覧表示に応じてエンドユーザーに配信する的を絞ったウェブページを指定する、請求項１に記載のインターネット広告システム。
【請求項３】
個々の前記ノードは階層構造を形成してお互いに関連している請求項１に記載のインターネット広告システム。
【請求項４】
前記公開手段は要求された特定のノードでのあらかじめ定めた数の広告一覧表示を選択する請求項１に記載のインターネット広告システム。
【請求項５】
前記公開手段は、前記エンドユーザーにより要求された特定のノードに関連する提示金額の順位に基づいて広告一覧表示を表示する請求項１に記載のインターネット広告システム。
【請求項６】
前記公開手段は、前記エンドユーザーにより要求された特定のノードに関連する提示金額の順位に基づく広告一覧表示と、前記コンテンツシステムの階層構造に基づく少なくともひとつ上位レベルのノードとを表示する請求項５に記載のインターネット広告システム。
【請求項７】
前記公開手段は、前記エンドユーザーにより要求された特定のノードに関連する提示金額の順位に基づく広告一覧表示と、前記コンテンツシステムの階層構造に基づくすべての他の上位レベルのノードとを表示する請求項６に記載のインターネット広告システム。
【請求項８】
さらに、提示金額に基づいて前記インターネット広告システムの個々のノードに公開する広告一覧表示に対する支払いを受け付ける支払手段を具備する請求項１に記載のインターネット広告システム。
【請求項９】
さらに、インターネット広告システムに適用可能な一組のルールを記憶するための第２の記憶手段と、
申し出された広告が前記一組のルールに適合するかどうかを決定するルール点検手段と、
前記一組のルールに適合しないすべての要求された広告を拒否する拒否手段と、
を具備する請求項１に記載のインターネット広告システム。
【請求項１０】
複数ノードの階層コンテンツベースのシステムを介して公開するために広告主からの広告情報を受け取るインターネット広告システムであって、
該インターネット広告システムは、
インターネットを利用してインターネット広告システムに接続している複数の広告主のユーザーシステムから広告一覧表示情報を受信する双方向データーベースサーバーであって、該広告一覧表示情報は、広告の表題とＵＲＬ、広告一覧表示情報に関連する１以上のノードレベルの選択、及び選択された各ノードレベルに対する提示金額を具備する、双方向データーベースサーバーと、
前記広告一覧表示を記憶するデータベースと
複数ノードの階層システム内のノードを要求したエンドユーザーにウェブページコンテンツと広告一覧表示とを配信するネットワークファイルサーバーであって、配信されたコンテンツと広告一覧表示はエンドユーザーに選択されたノードに基づく、ネットワークファイルサーバーと、
を具備するインターネット広告システム。
【請求項１１】
提供された前記ＵＲＬは、前記エンドユーザーに配信されたウェブページから選択した広告一覧表示に応じてエンドユーザーに配信する的を絞ったウェブページを指定する、請求項１０に記載のインターネット広告システム。
【請求項１２】
個々の前記ノードは階層構造を形成してお互いに関連している請求項１０に記載のインターネット広告システム。
【請求項１３】
前記ネットワークファイルサーバーは要求された特定のノードでのあらかじめ定めた数の広告一覧表示を選択する請求項１０に記載のインターネット広告システム。
【請求項１４】
前記ネットワークファイルサーバーは、前記エンドユーザーにより要求された特定のノードに関連する提示金額の順位に基づいて広告一覧表示を表示する請求項１０に記載のインターネット広告システム。
【請求項１５】
前記ネットワークファイルサーバーは、前記エンドユーザーにより要求された特定のノードに関連する提示金額の順位に基づく広告一覧表示と、前記コンテンツシステムの階層構造に基づく少なくともひとつ上位レベルのノードとを表示する請求項１４に記載のインターネット広告システム。
【請求項１６】
前記ネットワークファイルサーバーは、前記エンドユーザーにより要求された特定のノードに関連する提示金額の順位に基づく広告一覧表示と、前記コンテンツシステムの階層構造に基づくすべての他の上位レベルのノードとを表示する請求項１５に記載のインターネット広告システム。
【請求項１７】
さらに、提示金額に基づいて前記インターネット広告システムの個々のノードに公開する広告一覧表示に対する支払いを集める支払いプロセッサー、
を具備する請求項１０に記載のインターネット広告システム。
【請求項１８】
前記データベースは、インターネット広告システムに適用可能な一組のルールを記憶し、さらに、
申し出された広告が前記一組のルールに適合するかどうかを決定するルール点検モジュールと、
前記一組のルールに適合しないすべての要求された広告に拒否信号を伝送するする拒否信号伝送モジュールと、
を具備する請求項１０に記載のインターネット広告システム。
【請求項１９】
複数ノードの階層コンテンツベースのシステムを介して公開するために広告主が広告を表示することを可能にする方法であって、
該方法は、
インターネットを利用してインターネット広告システムに接続している複数の広告主のユーザーシステムから広告一覧表示情報を受信する受信ステップであって、該広告一覧表示情報は、広告の表題とＵＲＬ、広告一覧表示情報に関連する１以上のノードレベルの選択、及び選択された各ノードレベルに対する提示金額を具備する、受信ステップと、
前記広告一覧表示をソートするステップと、
複数ノードの階層システム内の特定のノードを要求したエンドユーザーにウェブページコンテンツと広告一覧表示とを公開する公開ステップであって、該公開手段は選択されたノードに関連するコンテンツとその特定のノードに関連する広告とを配信する、ステップと、
を具備する方法。
【請求項２０】
提供された前記ＵＲＬは、前記エンドユーザーに配信されたウェブページから選択した広告一覧表示に応じてエンドユーザーに配信する的を絞ったウェブページを指定する請求項１９に記載の方法。
【請求項２１】
個々の前記ノードは階層構造を形成してお互いに関連している請求項１９に記載の方法。
【請求項２２】
前記公開ステップには要求された特定のノードでのあらかじめ定めた数の広告一覧表示を選択するステップが含まれる請求項１９に記載の方法。
【請求項２３】
前記公開ステップには、前記エンドユーザーにより要求された特定のノードに関連する提示金額の順位に基づいて広告一覧表示を選択するステップが含まれる請求項２２に記載の方法。
【請求項２４】
前記公開ステップには、前記エンドユーザーにより要求された特定のノードに関連する提示金額の順位に基づいて広告一覧表示と、前記コンテンツシステムの階層構造に基づく少なくともひとつ上位レベルのノードとを選択するステップが含まれる請求項２３に記載の方法。
【請求項２５】
前記公開ステップには、前記エンドユーザーにより要求された特定のノードに関連する提示金額の順位に基づいて広告一覧表示と、前記コンテンツシステムの階層構造に基づくすべての他の上位レベルのノードとを選択するステップが含まれる請求項２４に記載の方法。
【請求項２６】
さらに、提示金額に基づいて前記インターネット広告システムの個々のノードに公開する広告一覧表示に対する支払いを受け付けるステップを具備する請求項１９に記載の方法。
【請求項２７】
さらに、インターネット広告システムに適用可能な一組のルールを記憶するステップと、
申し出された広告が前記一組のルールに適合するかどうかを決定するステップと、
前記一組のルールに適合しないすべての要求された広告を拒否するステップと、
を具備する請求項１９に記載の方法。
【発明の詳細な説明】
【技術分野】
【０００１】
本発明は、インターネット上でコンテンツ特有のノードを通じて、協調して配信されたコンテンツに基盤を置いたシステムを利用して、目的とする広告を提供するシステム及び方法に関する。
【背景技術】
【０００２】
的を絞った広告を行うことは広告を行い広告に費用をかける企業にとって長い間目標となっていた。広告はどんなメディアを用いたとしても高価なものとなり得る。従って、一般に企業は、その企業の製品やサービスに興味を持つだろうと思われる人たちが見るような広告にのみ費用をかけることを希望する。
【０００３】
インターネット上での広告の一形態はサーチエンジンにおけるサーチ結果にお金を支払うペイドプレースメントである。これらのシステムにおいて、広告主は、具体的なサーチ項目に対するサーチ結果に広告を記載させることに対して異なった金額の提示を選択することができ、サーチエンジンにより戻ってきたこのサーチ結果により、特定のサーチ項目に対して一定金額を申し出た広告主間で申し出た金額に従って順位付けが行われる。例えば、消費者が「航空券」について、リストアップされた支払済みのサーチエンジンをサーチしたとすると、関係するＵＲＬ一覧とともに航空会社の一覧が現れて、消費者がこの一覧表をクリックすることができ、この一覧表に基づいてウェブサイトに行くことができるようにする。これらの一覧表に関連する各広告主は、広告主のウェブサイトへの「クイックスルー」ごとに一定の金額をサーチエンジンに対して支払う。サーチ結果の一覧表に広告主の名前が現れる回数が多いほど、おそらくユーザーはその広告主が提供するＵＲＬ（すなわち広告主のウェブサイト）に多くクリックスルーするであろう。広告主の会社へのクリックスルーごとのコストが上がってくるにつれて、その会社の一覧表への掲載がサーチ結果の一覧表における上位に近づくであろう。
【０００４】
前述した既存のシステムは広告費の目的を絞ることを可能とするが、このようなシステムでは、インターネットにおける他の目的を絞った広告手段の提供ができなくなる。
【０００５】
現システムにはこのことやその他の欠点が存在する。
【発明の開示】
【０００６】
本発明の実施の形態は、コンテンツのノードの対象に限定した広告に応じた様々なレベルでインターネットのコンテンツの領域（コンテンツのノード）をマッピングするシステムに関する。このシステムは、コンテンツのノードでの広告を行う目的に応じて動的かつ編集できるように制御された階層から、少なくとも２つの異なったレベルのコンテンツのノードを広告主が選択できるようにしたインターフェースを通じて広告を行うユーザーに広告をさせるための機構を提供する。このインターフェースにより、広告主は、コンテンツのノード内でのプレースメント広告システムでの広告を行うことに対する入札が可能となり、広告主は指定した異なったレベルで異なった入札額を指定することが可能となる。例えば、５個のノードを用意するシステムにおいて、広告主は、選択されたノードのコンテンツ及びそこに置かれた関連する広告に基づくシステム中のすべてのコンテンツのノードのプレースメントへのクリックスルー１回に対して０．１ドルの値をつけ、いくつかの第２のレベルのノードのうち１つの広告に対するプレースメントへのクリックスルー１回に対して０．１２ドルの値をつけ、いくつかの第３のレベルのノードのうち１つの広告に対するプレースメントへのクリックスルー１回に対して０．１５ドルの値をつけ、いくつかの第４のレベルのノードのうち１つの広告に対するプレースメントへのクリックスルー１回に対して０．１７ドルの値をつけ、そして、いくつかの第５のレベルのノードのうち１つの広告に対するプレースメントへのクリックスルー１回に対して０．２５ドルの値をつけることができるであろう。広告主がプレースメントに対して値を指定することができ、異なったレベルの細分化により広告主がより大きな特定性を提供することで、広告主は、異なったレベルの詳細度で広告の効率をモニターすることにより最も有利な広告キャンペーンを自ら選択することができる。結果として、もっとも効率的な広告システムを提供するために、異なったレベルに対する指値を増加又は減少することができる。
【０００７】
コンテンツのノードは、次に、コンテンツのノードを見る人に文脈中に組み込まれた広告を見せるような方法でコンテンツの提供者により位置づけされる。システムにより、広告主が位置づけを行ったコンテンツのノードと広告との間の関係が保存され保守される。
【０００８】
本発明の一実施の形態において、広告主の選択に従い、このシステムは、一般的なレベルから具体的なウェブページへと目的対象のレベルを高めるような階層のコンテンツのノードに、広告主からのプレースメントについての要求を位置づける。コンテンツのノードは、具体的なコンテンツ、又は、ウェブページ、ニュースレター、チャット、ニュースグループ、あるいはこれらから派生したものを含むこのようなコンテンツのグループであってもよい。コンテンツのノードは、タイトル、説明、レベルの深さ、規則、及び深さに応じて他の親又は子のコンテンツのノードとの関係を含んでもよい。
【０００９】
コンテンツのノードのタイトルは、情報の形式又はコンテンツ領域に含まれる通信を特定するための短い記述子であってもよい。概念的には、親ノードのタイトルはノードのタイトルの記述子の一部であってもよい。例えば、親コンテンツのノード「Pets」の下にあってタイトルが「Vitamins」であるコンテンツのノードは、親コンテンツのノード「Health」の下にあってタイトルが「Vitamins」であるコンテンツのノードとは異なる。好ましい実施の形態において、「Pets / Vitamins」や「Health / Vitamins」のような、ディイレクトリー風の命名法でタイトルを短縮化してもよい。
【００１０】
コンテンツのノードの記述は、そのコンテンツのノードに位置づけられた広告一覧が現れる場所を具体的に広告主が識別するのに便利なようにするために長い記述子となる。
【００１１】
コンテンツのノードの深さが深くなるにつれて、ユーザーの聴取に対する関心の的が絞られる。慣例により、与えられた深さは具体的な名前で参照されるが、命名法と具体的な名前による深さの数は、変化し、ディストリビューターから可能とされる仕様とコンテンツの細分化の程度により決まる。
【００１２】
規則は、与えられたコンテンツのノードに広告一覧を位置づけするため、どんな実務的規則から抽出したものでもよいと理解してよい。例えば、ニュースレターコンテンツのノードに対して、システムは、このニュースレターコンテンツのノード上に広告の一覧を載せることに対して広告主の勘定として少なくとも２０００ドルを要求する規則を組み込んでもよい。もしクリックごとに販売するのなら、クリックごとに０．０５ドルというように最低注文価格を規則により強制してもよい。規則は親ノードから引き継ぐことを許可してもよい。例えば、与えられたコンテンツのノードは親ノードのクリックあたりのコスト以下のクリックあたりのコストで位置づけることは許されないようにしてもよい。
【００１３】
コンテンツのノードは他のコンテンツのノードとの関係、それは親、子、又は兄弟を持つかどうか、を定義することが可能である。同じ深さのコンテンツのノードが異なった関係を持つことは無意味である。例えば2つの兄弟コンテンツのノード（同じ親コンテンツのノードを持つ）は独立に子を持っても持たなくてもよい。このことは、コンテンツのノードの非対称な階層構造を助長することになることに注意しなければならない。
【００１４】
概念的には、言語（すなわち英語）以外の具体的なコンテンツに対して目的を絞らない単に包括的な要求に変換する最上階レベルのルートコンテンツのノードが存在する。この最上位レベルノードは、広告主にインターネット上の一般的な聴衆に的を絞ることを可能とする。最上階レベルに位置づけられた広告一覧は、msm.com、yahoo.com、及びabout.comのようなホームページのサイトに同時に現れる。最上階レベルのコンテンツのノードは親を持たない。
【００１５】
チャンネルレベルノードは、少し一般的とはなるが、的を絞ったコンテンツの領域であると考えてよい。このコンテンツの領域においては、基本的な興味はわかっているが具体化されていないような場合に用いられる。チャンネルレベルノードの一例は「親と家族（Parenting & Family）」である。この場合、コンテンツの領域は、ユーザーが親として又は家族としての一般的な興味はあるがそれ以上は知らない領域であることを示している。チャンネルレベルノードは、最上位レベルノードと、兄弟ノードと子ノードを持つ父ノードとを持つ。
【００１６】
対象レベルノードは、的を絞ったコンテンツの領域であると考えてよい。これは具体的な関心がわかっているインターネットのコンテンツに用いられる。「妊娠と出産（Pregnancy & Birth）」が対象レベルノードのタイトルであり、「親と家族（Parenting & Family）」が親のチャンネルレベルノードであるとき、「親と家族／妊娠と出産（Parenting & Family/Pregnancy & Birth）」が対象レベルノードの一例である。この場合、この対象レベルノードの内容は、「親と家族（Pregnancy & Birth）」に具体的な関心を持つユーザーに対して設計されている。このコンテンツのノードに位置づけた広告主は、対象レベルのコンテンツのノードにアクセスするエンドユーザーにより見られるような広告を対象レベルのコンテンツのノード上に配置することを望むだろう。対象レベルのコンテンツのノードは、親ノードと兄弟ノードと子ノードを持つ。
【００１７】
文書レベルノードはこの実施の形態においてもっともコンテンツの的を絞ったものとして定義される。文書レベルは本当に一義的な具体的なコンテンツに的を絞って用いられる。文書レベルのコンテンツの一例は具体的なＵＲＬ又は具体的なニュースレターメールのみに的を絞る。「授乳（Breastfeeding）」が文書レベルのコンテンツのノードの実際のタイトルであり、「妊娠と出産（Pregnancy & Birth）」が親の、対象レベルのコンテンツのノードの実際のタイトルであり、「親と家族（Parenting & Family）」がチャンネルレベルのコンテンツのノードのタイトルであるとき「親と家族／妊娠と出産／授乳（Parenting & Family/ Pregnancy & Birth / Breastfeeding）」が文書レベルのコンテンツのノードの一例である。このコンテンツのノードに位置づけた広告主は、例えば、Pregnancy.about.comサイトのような母乳で育てるページ上に広告することを望むだろう。文書レベルのコンテンツのノードは、子ノードを持たないが兄弟ノード又は親ノードを持つようなノードである。
【００１８】
他の実施の形態においては、コンテンツに関して付加的な特異性を持つ付加的なレベルのノードがあってもよい。コンテンツの特異性が様々なレベルのノードに広告を位置づけさせるこのシステムは、おそらく広告されているものやサービスを注文することに関心を抱いていると思われる人が聴衆である広告に対して、広告主がより高額な申し込みをすることを可能とする。さらに、広告主は、申し込んだ商品やサービスに近接しているが売り上げが余り発生しないようなコンテンツに広告を位置づけるかもしれない。これは広告を行うことの申し込みにおいて広告主にさらなる柔軟性を許容し、広告主が聴衆に対してもっと具体的に的を絞ることを可能とする。一般に、購入者となるであろうと思われる聴衆に広告の的を絞れば絞るほど、広告主は広告費に対してより多くの効果が得られる。本発明は、広告主にその広告を広く流布すること又は目標を絞らないことも許容するという利点もまた有する。広告主は、この目標を絞らない広告に対して、しかしながら、これは売り上げを少ししか生じないので、低額の申し出をしてもよい。
【００１９】
複数ノードの階層構造となったコンテンツベースのシステムを通して発行するために広告主からの広告情報を受信するインターネット広告システムであって、このインターネット広告システムは、インターネット上のインターネット広告システムに接続している複数の広告主のユーザーシステムからの広告一覧情報を受信する双方向のデータベースと、広告タイトルとＵＲＬと広告一覧情報が関係する1以上のノードレベルの選択と選択されたノードレベルの各々に対する指値とからなる広告一覧情報と、この広告一覧を保存するデータベースと、ウェブページコンテンツと広告一覧とを多数ノードの階層システムにおける複数のエンドユーザーが要求するノードに配信するネットワークファイルサーバーとからなり、配信されたコンテンツと広告一覧はエンドユーザーにより選択されたノードに基づいている。配信されたＵＲＬはエンドユーザーに配信されたウェブページからの広告一覧の選択に基づいてエンドユーザーに配信されるべき目標のウェブページを特定してもよい。ネットワークファイルサーバーは、広告一覧を具体的に要求のあったノードに配信してもよく、より高いレベルのノードへの広告一覧のみならず特定のノードに関連する広告一覧の順位に基づいて配信してもよい。品質管理と広告一覧と広告主が関連付けを求めるノードとの関係を確実にするために、このシステムには、更に、インターネット広告システムに適用可能なルールを提供してもよく、このルールにより申し込まれた広告がルールを満たすかどうかを決定し、もし満たさなければ、このルールを満足しなかった要求の広告を拒否する旨を伝達する伝達拒否モジュールにこの情報が送られる。
【００２０】
本明細書に組み込まれ構成要素の一部となる添付図は、本発明の種々の実施の形態を示し、詳細な説明とともに、本発明の本質と利点の説明に供される。
【発明を実施するための最良の形態】
【００２１】
複数レベルを持つ階層構造のコンテンツの具体的ノードにおける異なったレベルに対して異なった指値を広告主が行うことができる広告システムを提供する。この広告システムによれば、広告主は、以下に説明するようにユーザーがキーワードに基づく広告に指値する場合であっても同様に、コンテンツに基づくシステム内で指値と支出をカスタマイズすることができる。説明のために、コンテンツのノードの階層構造の一例を図１に示すが、これは本発明の実施の形態を適用することができる階層構造の形態がこれ以外にないということを意図するものではない。
【００２２】
図１に描かれた実施の形態によれば、最上位レベルノード１００は、ウェブサイトのテキスト言語のような特有のレベルに対応してもよい。例えば、バスケットボールを売る広告主は、英語、中国語、及びスペイン語の最上位レベルノードの中から英語の最上位レベルノードを選択してもよい。なぜなら、コンテンツの英語領域でのバスケットボールの宣伝は、中国語のページの閲覧者より広告の閲覧者に対する売上がおそらく上がるだろうからである。後述のように、広告主が各レベルに対して異なった指値ですべての最上位レベルノードで広告を行うことは好ましいことである。一般に、しかしながら、１以上のコンテンツのレベルのノードで広告を行おうとするユーザーは、各一覧表示に対して最上位レベルノードを選択してもよい。例えば、常にページ上のコンテンツと同じ言語で広告を表示するシステムが好ましいであろう。そこで、システムは、各一覧表示に対して１つの最上位レベルノード１００、すなわち広告の言語を広告主に選択させてもよい。
【００２３】
最上位レベルノード１００を選択した後、この選択に基づいて、視聴者に、具体的な１以上のコンテンツのノードに的を絞らせたいと願っているユーザーは、好ましい一覧の対象を特定するチャンネルレベルノード１１０を選ぶことができる。例えば、バスケットボールを売る広告主は、スポーツ、健康、娯楽、及び宗教の中からスポーツのチャンネルレベルノード１１０を選ぶことができる。なぜなら、スポーツコンテンツのページでのバスケットボールの宣伝は、宗教コンテンツのページでの視聴者に対してより、スポーツコンテンツのページの視聴者に対して関連性が深いだろうからである。広告主は、レクリエーションとしてバスケットボールを行う人に見てもらうために、この広告を健康にも記載することを望むかもしれない。しかし、広告主は、健康のコンテンツに載せた広告は視聴者からのクリックスルーは少ないだろうと判断するかもしれない。したがって、広告主は、スポーツのコンテンツのページに載せる広告に対する指値より健康のコンテンツのページに載せる広告に対する指値のほうが申し出価格を低くするかもしれない。
【００２４】
さらに、チャンネルレベルノード１１０を選択した後、この選択に基づいて、視聴者に、関連する具体的なノードを用いて視聴者を絞りたいと願っているユーザーは、好ましい一覧から対象を特定する対象レベルノード１２０を選ぶことができ、さらには文書レベルノード１３０を選ぶことができる。例えば、例えば、バスケットボールを売る広告主は、フットボール、野球、バスケットボール、及びサッカーの対象レベルノード１２０の中からバスケットボールの対象レベルノード１２０を選ぶことができる。さらに、広告主は、ＮＢＡ、ＷＮＢＡ、ＮＣＣＡ、規則、統計、用具の文書レベルノード１３０の中から用具の文書レベルノード１３０を選択することによってさらに視聴者を絞ることができる。従って、広告主は、規則の文書レベルノードより用具の文書レベルノードを最初に表示することに対して高い指値を申し出るかもしれない。なぜなら、広告主は、バスケットボール用具に関連するコンテンツを見るユーザーのほうが、バスケットボールの規則に関連するコンテンツを見るユーザーよりバスケットボールの注文におそらく興味を持つだろうからである。
【００２５】
また、広告主は、バスケットボールの対象レベルノード１２０と共にすべての文書レベルノードを最初に載せることを望むかもしれない。本発明の一実施の形態による対象レベルノードに対して広告主は申し出を行うかもしれない。このように、複数レベルの階層構造のコンテンツに基づくシステムにおける異なったレベルに対して異なった指値を広告主が行うことができる広告システムが提供される。
【００２６】
図1に示された本発明の実施の形態によれば、階層構造の中で文書レベルノード１３０がもっとも具体的なレベルになるかもしれない。しかしながら、最上位レベルノード１００と文書レベルノード１３０との間に特定のいろいろなレベルを追加してもよい。本発明の実施の形態によれば、いったん一覧表示が確定すれば、一覧表示は関連するディレクトリーと共にリレーショナルデータベースに保存される。オブジェクト指向型データベース、フラットファイル、リンクドリストその他の当業者に評価されている他のデータベース構造を用いてもよい。
【００２７】
例えば、バスケットボールの販売を望む広告主が、用具の文書レベルノード１３０、バスケットボールの対象レベルノード１２０、スポーツのチャンネルレベルノード１１０、英語言語の最上位レベルノード１００へ表示に最も高い指値額を付けたとすると、表示は、データベース（すなわち、リレーショナルデータベース）中に「English＼Sport＼Basketball＼Equipment＼1」として保存される。広告主は、図２から図１３に示したステップを通って図１の示した対象またはノードまたはレベルを選択することができる。
【００２８】
図２は、ユーザーが「サインアップ」２００のステップを行うことができるようにした、本発明の一実施の形態によるグラフィカルユーザーインターフェースの実施形態を示すスクリーンショットである。複数ノードコンテンツの階層システムに広告をおくことを望む広告主たるユーザーは、インターネットの接続を通じて図２のグラフィカルユーザーインターフェースの広告システムにアクセスすることができる。図２のグラフィカルユーザーインターフェースにより、多数の広告主たるユーザーは、この階層システムに置いた広告を始めさせ、取り扱い、修正することができる。図２により、安全確実なシステムとするために、広告主たるユーザーはユーザーネーム２１０とパスワード２２０を入力することができる。ユーザーネーム／パスワードが表示されているが、クッキー、ＩＰアドレス参照、公開キーインフラストラクチャー（ＰＫＩ）認証、暗号化、その他の今日用いられている安全対策を含む認証技術を必要とするようにしてもよい。
【００２９】
アクセスするための安全な方法を提供するのに加えて、この広告システムにより、複数ノードの階層コンテンツに基づくシステムのサーチ形態を通して列挙されたサーチ項目にエンドユーザーが入力してきたとき、広告の掲載に対して広告主が支払いを行うこととしてもよい。コンテンツに基づくノードの階層システムを用いて広告を掲載することに加えてこのステップを追加してもよい。図３は、ユーザーが「サーチタームに関連させてインターネット上に広告を掲載する」３００のステップを行うことができるようにした、本発明の一実施の形態によるグラフィカルユーザーインターフェースの実施形態を示すスクリーンショットである。ユーザーは望みの広告に関連する最も高いレベルの対象に関連して一般的なサーチタームを入力することができる。さらに、表示する広告のために一覧タイトル３２０を入力する。一覧タイトルは、広告を望むユーザーが広告中に表示することを希望するタイトルを示してもよい。例えば、広告を望むユーザーが、「Ｂ−Ｐ」という名前の会社により製造されているブレストバンプを売りたい場合は、一覧タイトルは「ブレストバンプ売出し中」または「Ｂ−Ｐブレストバンプ売出し中」その他の記述とすることができる。広告を出すユーザーは、クリックスルーする一般的なウェブサイトの位置を示す表示ＵＲＬ３３０を入力することもできる。例えば、Ｂ−ＰのユーザーはWWW.b-p.comの表示ＵＲＬを入力してもよい。また、広告を出すユーザーは、エンドユーザーがその広告をクリックしたときに向かうサイトの実際のＵＲＬを示す、目標ＵＲＬを入力してもよい。目標ＵＲＬは表示ＵＲＬ３３０と異なっていてもよい。例えば、もしエンドユーザーが広告を選択し、それが売出し中のブレストバンプの特定の型式のページ（例えば、WWW.b-p.com＼modelB.html）を参照していた場合、エンドユーザーから取り戻したパージの正確な位置を特定することによる場合である。他の実施の形態においては、単一のＵＲＬのみが入力され、表示される同じＵＲＬがサイトのＵＲＬとなり、複数ノードの階層コンテンツに基づくシステムにてエンドユーザーが選択した広告により目標ＵＲＬとしてエンドユーザーにより用いられる。本実施の形態において、広告を希望するユーザーは、広告する商品やサービスについての説明を入力してもよい。さらに、広告を希望するユーザーは、価格３６０を提示する。本発明の一実施の形態においては、広告に対する価格の提示は、入札システムを経由して行われる。申し込まれた広告の表示の各々は、それに関連する提示価格をもつ。本実施の形態において、一覧表示は、表示された具体的なレベルに対する提示価格の降順に表示される。価格はクリックスルーごととしてもよく定額としてもよい。処理におけるこのステップの入力により申し込まれた一覧表示は、エンドユーザーがサーチタームごとにウェブサイトをサーチしたときに適切な順序で見ることができる。
【００３０】
この広告システムにおいて、広告主は確認ステップで入力した広告一覧と対応する申し出価格を見ることができる。このステップは、コンテンツに基づくノードの階層システムを用いて広告を出すステップに追加してもよい。このステップにより、広告主は他の広告主が申し出た価格と比較してどれだけの価格を申し出たかを見ることができる。図４は、「サーチタームに関連してインターネット上の広告の一覧表示の確認ステップ」４００を広告主が行うことができるようにしたグラフィカルインターフェースの実施例を示すスクリーンショットである。このステップにより、広告を出したいと考えているユーザーは、先に申し出た価格に基づき、さらに広告順位４１０を参照することにより、降順で並べた広告の位置を見ることができる。もし広告を出したいと考えているユーザーが表示されている順位４１０に満足できないならば、あるいは、広告一覧表示に関して何か他に変えたいものがあるならば、ユーザーはその特定の一覧表示に関して編集ボタン４２０を選ぶことにより変えることができる。
【００３１】
その後、この広告システムにより、広告主は、一般的な素材のコンテンツと共にページに上に広告を出したいと広告主が思っているところに高度な対象を出すよう選択することができる。図５は、ユーザーが本発明によるレベルノード上の広告を表示する「チャンネルレベルノード選択」ステップ５００を行うことができるようにしたグラフィカルユーザーインターフェースの実施の形態を示すスクリーンショットである。このステップで、本システムは文書レベルノード５１０を示唆するあらかじめ入力されたサーチタームを使用してもよい。この選択は「キーワードに基づくカテゴリーの選択」により行ってもよい。あるいは、広告することを望むユーザーがチャンネルレベルノード５２０で広告する商品またはサービスとして適切なカテゴリーを指定してもよい。ブレストバンプの製造業者が望んでいる広告の例を続けると、ユーザーは「育児と家庭」をチャンネルレベルノードとして選択することができる。このスクリーンショットは一般的対象についてのサンプルを示している。この一覧表示はすべてを包括するものではない。他の対象項目であっても適切であることもある。
【００３２】
さらに、この広告システムにより、広告主が同じ対象のコンテンツといっしょにページ上に広告が現れてほしいと思っているところにより狭い範囲の対象を出すよう広告主が選択できるようにしてもよい。図６は、ユーザーが本発明によるレベルノード上の広告を表示する「対象レベルノード選択」ステップ６００を行うことができるようにしたグラフィカルユーザーインターフェースの実施の形態を示すスクリーンショットである。６１０で、本システムは文書レベルノードを再度示唆するあらかじめ入力されたサーチタームを使用してもよい。この選択は「キーワードに基づくカテゴリーの選択」により行ってもよい。また、広告することを望むユーザーが６１０の対象レベルノードで広告する商品またはサービスとして適切なカテゴリーを指定してもよい。ブレストバンプの製造業者が望んでいる広告の例を続けると、ユーザーは「妊娠／誕生」を対象レベルノードとして選択することができる。このスクリーンショットは対象レベルについてのサンプルを示している。この一覧表示はすべてを包括するものではない。他の対象項目であっても、それがチャンネルレベルノードとして表示された対象より具体的である限り適切であることもある。対象レベルノード６２０の下に現れる一覧表示の対象は、広告することを望むユーザーがチャンネルレベルノード５２０の下で何を選択したかによる。
【００３３】
さらに、この広告システムにより、広告主が同じ対象のコンテンツといっしょにページ上に広告が現れてほしいと思っているところにより狭い範囲の対象を出すよう広告主が選択できるようにしてもよい。図７は、ユーザーが本発明によるレベルノード上の広告を表示する「文書レベルノード選択」ステップ７００を行うことができるようにしたグラフィカルユーザーインターフェースの実施の形態を示すスクリーンショットである。本ステップで、本システムは文書レベルノード７１０を示唆するあらかじめ入力されたサーチタームを使用してもよい。この選択は「キーワードに基づくカテゴリーの選択」により行ってもよい。あるいは、広告することを望むユーザーが文書レベルノード７２０で広告する商品またはサービスとして適切なカテゴリーを指定してもよい。ブレストバンプの製造業者が望んでいる広告の例を続けると、ユーザーは「授乳」を文書レベルノードとして選択することができる。このスクリーンショットは一般的な対象レベルについてのサンプルを示している。この一覧表示はすべてを包括するものではない。他の対象項目であっても、それが対象レベルノードとして表示された対象より具体的である限り適切であることもある。文書レベルノード７２０の下に現れる一覧表示の対象は、広告することを望むユーザーがチャンネルレベルノード６２０の下で何を選択したかによる。
【００３４】
一旦この広告システムにより、広告主が広告を置きたいと求めていたところに対象の階層的な構造の範囲内で少なくとも１つのノードを定義することができると、この広告システムにより、広告主は対象の階層的な構造を参照することができるようにしてもよい。図８は、ユーザーが本発明によるレベルノード上の広告を表示する「一覧表示の確認」ステップ８００を行うことができるようにしたグラフィカルユーザーインターフェースの実施の形態を示すスクリーンショットである。もし広告することを望むユーザーが注文することを望まない一覧表示が現れた場合は、ユーザーは対応するボックスのチェックを外すことにより、又は、リターンキーを押し、階層構造における一覧表示を編集することにより表示を消すことができる。
【００３５】
加えて、この広告システムにより広告主がこの広告システム上に一覧表示を試みている広告に載せるべき情報の項目を詳述する情報を広告主が入力することができるようにしてもよい。図９は、ユーザーが本発明の実施の形態によるレベルノード上の広告を表示する「詳細一覧表示入力」ステップ９００を行うことができるようにしたグラフィカルユーザーインターフェースの実施の形態を示すスクリーンショットである。このステップは、望みの各文書レベルノードの一覧表示において完遂しなければならない。好ましい実施の形態において、選択されたノードのリレーショナル構造がスクリーンショット９１０の上部に示された一覧表示名称に示されている。ユーザーは一覧表示名称９２０、表示ＵＲＬ、目標ＵＲＬ、説明９５０、及び価格９６０を入力することができる。他のさまざまな情報を広告に表示してもよく、これらの情報の項目は他の情報項目を除外することを意味しないことはいうまでもない。
【００３６】
さらに、この広告システムでは、広告主が正確を期してこれまで入力した情報の項目をチェックすることを可能としたり、広告主に階層構造を調整する機会やこのステップ以前に入力した一覧表示に対する申し出価格を調整する機会を与えたりしてもよい。図１０は、ユーザーが本発明によるレベルノード上の広告の一覧表示に対する「申し出価格の確認」ステップ１０００を行うことができるようにしたグラフィカルユーザーインターフェースの実施の形態を示すスクリーンショットである。一旦図９で示されたステップが、各望みの文書レベルノードの一覧表示において完了すると、一覧が画面に表示される。広告を望んでいるユーザーにより入力された情報１０１０と共に、このユーザーが各一覧表示に対してあらかじめ提示した価格により占有する順位１０２０もまた表示することができる。このステップは本発明の利点を示している。例えば、ブレストバンプ製造業者は、妊娠についての文書レベルノードより、授乳についての文書レベルノードに第１に表示されることに喜んでもっとお金を払うであろう。授乳に関連する文書にアクセスするエンドユーザーは、妊娠にアクセスする任意のどんなエンドユーザーより吸乳器の市場に入ってくるだろう。かくして、広告することを望むユーザーは、授乳文書レベルにおける第１番目の地位を得るためにもっと高い金額を提示する。もしこのユーザーがこの地位及び金額に満足しないならば、このユーザーは一覧表示を修正するかもしれない。
【００３７】
また、この広告システムは、システム上に広告を置くことを試みる広告主の情報を得て記録することができる。図１１は、広告主が本発明によるレベルノード上の広告を表示する「連絡情報の提供」ステップ１１００を行うことができるようにしたグラフィカルユーザーインターフェースの実施の形態を示すスクリーンショットである。この連絡情報には、広告することを望むユーザーに関する以下の情報のいくつかを含んでも含まなくてもよい。すなわち、名前１１１０、苗字１１２０、会社名１１３０、通りの名称１１４０、州１１６０、郵便番号１１７０、国１１８０、Eメールアドレス１１９０、電話番号１１１５、ファックス番号１１２５、及び業種１１３５である。他の実施形態において、広告することを望むユーザーに関する情報をいくつでもこのステップで要求してもよい。本広告システムでは、広告一覧の階級が変更されたとき、広告主と連絡をとるためにこの情報を使ってもよい。あるいは、本広告システムにより、周期的に広告主の一覧表示状況を更新してもよい。
【００３８】
同様に、この広告システムは、広告主に、広告システムが支払いを受ける方法としての支払方法や他の請求書作成情報を保存させるようにしてもよい。図１２は、広告主が本発明によるレベルノード上の広告を表示するための「請求書作成情報の提供」ステップ１２００を行うことができるようにしたグラフィカルユーザーインターフェースの実施の形態を示すスクリーンショットである。好ましい実施の形態において、広告することを望むユーザーは、システムにより自動的に周期的に支払いを可能とするクレジットカードまたは他の金融勘定の番号１２１０を入力してもよい。他の実施の形態において、本システムにより、広告主に送付する実際の請求書を周期的に作成するようにしてもよい。図１２は、ユーザーが「口座自動補充」１２２０を可能とすることを選択してもよいことを示している。この機能により、実際に広告に費用が掛かる前に、本システムによりユーザーに費用を請求することができる。本システムにより、ユーザーの口座残高がある値に下がったときはいつでも１２４０、所定の金額をユーザーの支払いカードに請求することができる１２３０。このステップにより、ユーザーは請求書送付先１２５０を入力してもよい。
【００３９】
さらに、本システムではもし望むのなら今のところ本広告システムに送られたどんな情報も広告主が眺め編集することができる。図１３は、広告主が本発明によるレベルノード上の広告を表示するための「口座の登録」ステップ１３００を行うことができるようにしたグラフィカルユーザーインターフェースの実施の形態を示すスクリーンショットである。本ステップは、広告主にとって表示１３１０、契約情報１３２０、及び、請求書作成情報１３３０を修正する最後のチャンスとなる。いったん広告主がこのステップを行い一覧表示を登録すると、一覧表示された適切な文書レベル上のノード構造にしたがって広告が掲載される。
【００４０】
広告主が複数の広告を出すことができ、システム内の多くの異なったノードに同一またはよく似た広告を出すことができ、そして、複数ノードの階層構造中にコストパーフォーマンスの最も良い広告の組み合わせを決めるための分析をするチャンスが与えられることは評価されるべきである。たとえば、チャンネルレベルノードで１クリックスルーあたり０．１０ドルとし、文書レベルノードで１クリックスルーあたり０．５０ドルとしたとき、その広告に対して最も多くのヒットがなされ、及び／又は、最も利益が上がることが分かるかも知れない。
【００４１】
ここで、どのように広告が分配されるかを評価するために図１４を用意した。図１４は、図２〜図１３に示したさまざまな実施の形態を介して対象の特定性のレベルの多様性に応じたコンテンツを特定したページに広告を広告主は載せることが可能な広告システムを表現する概略図である。複数の広告主システム１４１０はｈｔｔｐ接続１４１５を介してインターネットに接続することができこの広告システムにアクセスすることができる。ｈｔｔｐ接続１４１５は、上述したような安全対策を用いていたとしても、もし望むならば安全なもの（ｈｔｔｐｓ）としても良い。広告システム１４１０は、データーベースサーバー１４２５を介して特定のコンテンツのデータベース１４６５にアクセスしても良い。データーベースサーバー１４２５は、図２〜図１３に示した実施の形態に例示したグラフィカルユーザーインターフェースを対話式に提供し、これらのグラフィカルユーザーインターフェースからコンテンツを受け取り、このデータベースにコンテンツを保存し、そして、エラーメッセージ又は適切な確認メッセージを提供するためのソフトウエアを用意しても良い。データーベースサーバーは、表示されたグラフィカルユーザーインターフェース間であらかじめ定めておいた関係に基づいてユーザーに対するページの順序付けを行っても良い。これを達成するための１つの例は、コンテンツに関連する広告が保存されているコンテントオブジェクトテーブルデーターベース１４３５に読み書きを行うデーターベースサーバーを通して成し遂げられる。さらに、データーベースサーバーにより、広告主は、広告の一覧表示に対してシステムに人為的に制限を設けたルールテーブルデータベース１４３０を読み込むことができる。これらの人為的なシステムの制限は、ビジネスの観点からもっとも利益を上げることができるように設定された基準としても良い。例えば、ユーザーの広告と件名に基づいて、システムが広告の効果を最大にするための広告の組み合わせを推奨することもできる。単一のネットワークファイルサーバーとデーターベースサーバーとコンテントオブジェクトテーブルとルールテーブルが図１４に示されているが、システムの拡張性と動作の最適性を期すために複数のこのような対象を提供しても良い。
【００４２】
広告システム１４１０は広告一覧表示に対して指値をすると、この指値はコンテントオブジェクトテーブルデーターベース１４３５に保存される。周期的にネットワークファイルサーバー１４４０は、データーベースサーバー１４２５を介してコンテントオブジェクトテーブルデーターベース１４３５に保存された広告にアクセスし、それを構築されたコンテントデーターベース１４６５に書き込む。
【００４３】
付加的に、複数のエンドユーザー１４４５はインターネットを介してさまざまな複数ノードの階層コンテンツベースのシステムのコンテンツへのさまざまな分配パートナーに接続することとしてもよい。例えば、複数ノードの階層コンテンツベースのシステムは、本出願に係る発明、WWW.about.comのAbout.com、の譲受人のような、ウェブサイトとして提供されるかもしれない。あるいは、さまざまなホストシステムのパートナーは、彼らのウェブサイト上の一部又はすべてのコンテンツを提供するためのホストに連動してもよい。例えば、女性問題についてのウェブサイトは女性問題に関連するノードレベルの題材を提供することを望むかもしれない。そこで、これらのノードに関連する広告は、インターネットを利用して分配パートナーを通じてこれらのノードへのコンテンツと一緒にエンドユーザーに分配してもよい。
【００４４】
ロードバランサー１４５０は、１以上のパートナーからサーバーへの要求も含めて複数のインターネット接続をモニターすることができる。ウェブサーバーを介してこれらの複数のユーザーは複数ノードの階層コンテンツベースのシステムからコンテンツを探すことができる。これらの複数のユーザー１４４５は、階層的なノード構造を用いることにより、又は、検索キーワードを入力することにより文書を探すことができる。どちらの場合も、ネットワークファイルサーバー１４４０はこれらの要求１４５５を読み込み、その文書に関連する一覧表示とともに関連するコンテンツのページを提供する。このようにして図１４に示した広告システムにより、広告主は、特定の１つのコンテンツに広告を出すのに対して、あまり売り上げを生じさせないだろうと思われる他の特定のノードのコンテンツに広告を出すのに対する指値とは異なった金額の指値をすることが可能となる。
【００４５】
一旦広告システムが、特定のノードに広告を載せることに対する指値を受け入れると、広告システムはこれらの広告を特定のノードのコンテンツに公開する。例えば、これらの広告一覧表示が上述のとおりウェブサイトに公開される。例えば、文書レベルノードには、情報コンテンツと、リンクと、画像と、チャットと、対象レベル、チャンネルレベル、及びトップレベルに関連する他の形態とを伴う１つのウェブページが含まれる。このウェブページ内に、そのレベルでの特定の広告を表示するために広告を載せた広告主の一部又はすべてを表示してもよい。図１５は、文書レベルノードに関連する単一の文書レベルノードのウェブページを表示したスクリーンショットである。このウェブページはこの文書レベルに対して指値の最も高い３人の入札者に与え、中でも最も高い指値をした入札者に最も高いレベルのノード与えることとしてもよい。従って、例えば、一人の広告主がこのチャンネル内に表示するすべてのウェブページに０．２５ドルの指値をした場合は、その構成の中の特定のページにもっと高い（又は低い）指値がない限り、そのチャンネル内のすべてのウェブページに表示されたその順位は、０．２５ドルの指値を基準に決定されることになる。
【００４６】
文書レベルノードのＵＲＬは、ＵＲＬセクション１５１０に表示してもよい。このＵＲＬは各コンテンツベースノードに対して唯一としてもよく、リレーショナルディレクトリー形式で表現してもよい。図1５に示された例では、視聴者は、育児と家族・チャンネルレベルノード１５２０、妊娠と誕生・対象レベルノード１５３０、及び授乳・文書レベルノード１５４０から選択している。その結果、視聴者は、選択した文書レベルノードの対象上にコンテンツ１５５０、この場合では、表題「子供に授乳することの利点」という表題の論文、を受信している。
【００４７】
文書レベルノードの対象上にコンテンツ１５５０を受信するのに加えて、視聴者は３つの広告一覧、１５７０、１５８０、及び１５９０を受信している。Ｂ−Ｐポンプを売りたい広告主はこのノードに載せることに対して最高額の指値をしている。従ってこの広告主の一覧表示が最初に表示されている。広告一覧表示には、表題「Ｂ−Ｐブレストポンプ販売中」、説明１５６０「今すぐ注文しよう・・・Ｂ−Ｐブレストポンプ期間限定販売」、及び、ＵＲＬの表示１５６５「WWW.b-p.com＼modelB.」の表示が含まれる。視聴者はこのＵＲＬにより、もし広告一覧表示をクリックしたらどこに向かうかが分かる。この例では、Ｂ−Ｐブレストポンプを売りたい広告主は、このノードに表示させることに対して１クリック当たり１２セントの指値をしたのであろう。それに対して、２番目及び３番目の位置に一覧表示された広告はそれより低い指値がなされた。この視聴者は顧客になる可能性が高いので、Ｂ−Ｐブレストポンプの広告主はこの特定のノードにおいて第１番目に表示してもらうことに対して喜んでより多くの指値をするであろうが、この広告主はわずかに関連するノードにも表示を希望するかもしれないが、表示に対してそれほど高い指値をすることは好まないだろう。
【００４８】
例えば、本発明において同じ広告主が同じ広告一覧表示を妊娠に関連するコンテンツとともにノードに一覧表示することに対する指値の額を、授乳に関連するコンテンツとともにノードに一覧表示することに対する指値より少なく提示することができる。図１６は、本発明による特定のノード上の対象を構成する部分に、妊娠に関連する特定の対象ノードに広告を表示したスクリーンショットである。広告が公開されているＵＲＬは１６１０のように示されるかもしれない。このＵＲＬは、各コンテンツベースのノードに対して唯一としてもよく、リレーショナルディレクトリー形式で表現してもよい。図1６に示された例では、視聴者は、育児と家族・チャンネルレベルノード１６２０、妊娠と誕生・対象レベルノード１６３０、及び授乳・文書レベルノード１６４０から選択している。その結果、視聴者は、選択した文書レベルノードの対象上にコンテンツ１６５０、この場合では、「排卵カレンダー」を受信している。
【００４９】
妊娠中についての対象上にコンテンツ１６５０を受信するのに加えて、視聴者は３つの広告一覧、１６７０、１６８０、及び１６９０を受信している。Ｂ−Ｐポンプを売りたい広告主はこのノードに載せることに対して１クリックあたり３セントの指値をしている。１クリックあたり３セントは、このノードに載せることに対する最高額ではない。従って、Ｂ−Ｐブレストポンプの一覧表示１６９０は第１番目には表示されていない。第１番目と第２番目に一覧表示された広告は、１６７０とそれより低額で提示された１６８０である。
【００５０】
このようにして、本広告システムにより広告主は、特定のコンテンツのページに広告を載せることに対して金額を提示することができ、その額は他の対象についてのコンテンツのページに広告を載せることに対する提示額とは異なっていてもよい。これにより広告主は最も購入者になると思われる視聴者が見るように広告費を使うことができる。これは広告費の多様化と最も適切な価格付けを可能とするので、広告主には好都合である。この広告システムにより広告主は販売に最も関連するページに最も高い順位を与えることができる。従って、この広告は最も可能性の高い購入者により見られ、広告された物やサービスに関心のない視聴者にはほとんど見られることはなくなり、従って、本発明に係る広告システムにより、今までのシステムによる広告に対して同じ金額を支払っていた広告主より高い売り上げをもたらすことができる。
【００５１】
前述の説明には詳細な細部が含まれているが、このような詳細な細部は説明のためのもので、本発明を限定するために解釈するためのものではない。以下の特許請求の範囲とその法的な均等物を含むことを意味する本発明の思想と範囲を逸脱することなく上述の実施の形態に多くの変更を加えることができる。
【図面の簡単な説明】
【００５２】
【図１】本発明の一実施の形態によるコンテンツノードの階層構造図である。
【図２】本発明の一実施の形態によるサインアップのステップを示すスクリーンショットである。
【図３】本発明の一実施の形態によるサーチタームと結びついたインターネット上の広告の一覧表示のステップを示すスクリーンショットである。
【図４】本発明の一実施の形態によるサーチタームと結びついたインターネット上の広告の一覧表示の確認ステップを示すスクリーンショットである。
【図５】本発明の一実施の形態によるレベルノード上の広告の一覧表示のチャンネルレベルの選択ステップを示すスクリーンショットである。
【図６】本発明の一実施の形態によるレベルノード上の広告の一覧表示の対象レベルの選択ステップを示すスクリーンショットである。
【図７】本発明の一実施の形態によるレベルノード上の広告の一覧表示の文書レベルの選択ステップを示すスクリーンショットである。
【図８】本発明の一実施の形態によるレベルノード上で広告を掲載するステップの確認リストを示すスクリーンショットである。
【図９】本発明の一実施の形態によるレベルノード上で広告を掲載するステップの詳細リストの入力を示すスクリーンショットである。
【図１０】本発明の一実施の形態によるレベルノード上で広告の一覧表示に対する指値を確認するステップを示すスクリーンショットである。
【図１１】本発明の一実施の形態によるレベルノード上で広告の一覧表示に対する契約情報を提供するステップを示すスクリーンショットである。
【図１２】本発明の一実施の形態によるレベルノード上で広告の一覧表示に対する請求情報の提供を示すスクリーンショットである。
【図１３】本発明の一実施の形態によるレベルノード上で広告を表示させるための口座を登録するステップを示すスクリーンショットである。
【図１４】本発明の一実施の形態による対象詳述ノードの構成内で対象詳述ノード内に広告主が広告を表示するシステムを示す概略図である。
【図１５】本発明の一実施の形態による対象詳述ノードの構成内で対象詳述ノード内に表示された広告を示すスクリーンショットである。
【図１６】本発明の一実施の形態による対象詳述ノードの構成内で対象詳述ノード内に表示された広告を示すスクリーンショットである。
【図１】
2005533327.tif 000003
【図２】
2005533327.tif 000004
【図３】
2005533327.tif 000005
【図４】
2005533327.tif 000006
【図５】
2005533327.tif 000007
【図６】
2005533327.tif 000008
【図７】
2005533327.tif 000009
【図８】
2005533327.tif 000010
【図９】
2005533327.tif 000011
【図１０】
2005533327.tif 000012
【図１１】
2005533327.tif 000013
【図１２】
2005533327.tif 000014
【図１３】
2005533327.tif 000015
【図１４】
2005533327.tif 000016
【図１５】
2005533327.tif 000017
【図１６】
2005533327.tif 000018
【国際調査報告】
2005533327.tif 000019